(57)【要約】      （修正有）【課題】  リアルタイムで本体において撮影した映像、画像をコードレスの表示手段で見ることができる画像処理装置及び表示システムを提供すること。【解決手段】  撮影した動画像データの全てのフレームのデータを有線インターフェイスにより表示装置に送信して表示する第１のモードと、前記動画像データの連続する二つのフレーム間の差分データを無線インターフェイスにより表示装置に送信して表示する第２のモードを持つ。  接続状態を検出して、第１の送信モードか第２の送信モードのいずれかの送信モードを選択する。【選択図】  図１
2005175550.tif 000002
【特許請求の範囲】
【請求項１】
動画像データを表示装置に送信して表示するシステムにて用いられる装置であって、
前記表示装置に対して有線伝送路を介して前記動画像データを送信する有線インターフェイスと、
前記表示装置に対して無線伝送路を介して前記動画像データを送信する無線インターフェイスと、
前記有線インターフェイスに対して前記動画像データの複数のフレームのデータを全て供給し、前記有線インターフェイスにより前記動画像データの全てのフレームのデータを送信する第１のモードと、
前記無線インターフェイスに対して前記動画像データの連続する二つのフレーム間の差分データを供給し、前記無線インターフェイスが前記差分データを送信する第２のモードとを切り替えるモード切り替え手段と、
を備える画像処理装置。
【請求項２】
前記表示装置と前記画像処理装置とが前記有線伝送路にて接続されていることを検出する検出手段を備え、前記モード切り替え手段は前記検出手段の検出結果に基づいて前記モードを切り替ることを特徴とする請求項１記載の画像処理装置。
【請求項３】
前記モード切り替え手段は、前記表示装置と前記画像処理装置とが前記有線伝送路にて接続されている場合には前記第１のモードを選択し、表示装置と前記画像処理装置とが前記有線伝送路にて接続されていない場合には前記第２のモードを選択することを特徴とする請求項２記載の画像処理装置。
【請求項４】
前記表示装置は前記送信された動画像データを記憶するメモリを有することを特徴とする請求項１記載の画像処理装置。
【請求項５】
入力された動画像データの二つのフレーム間における画像の動きに基づいて動きベクトルを検出し、この動きベクトルに基づいて前記差分データを生成する差分データ生成手段を備えたことを特徴とする請求項１記載の画像処理装置。
【請求項６】
前記表示装置は、前記無線インターフェイスにより送信された差分データをその前フレームの画像データに合成することにより元の動画像データを得ることを特徴とする請求項１記載の画像処理装置。
【請求項７】
画像処理装置により動画像データを表示装置に送信して表示するシステムにおいて、
前記画像処理装置は、前記表示装置に対して有線伝送路を介して前記動画像データを送信する有線インターフェイスと、
前記表示装置に対して無線伝送路を介して前記動画像データを送信する無線インターフェイスとを備え、
前記表示装置は、前記無線インターフェイスにより送信された差分データより動画像データを復元するデコーダと、
前記有線インターフェイスにより送信された動画像データと前記デコーダにより復元された動画像データのうちの一方を選択する選択手段と、
前記選択手段により選択された動画像データに係る画像を表示する表示手段とを備え、
前記有線インターフェイスに対して前記動画像データの複数のフレームのデータを全て供給し、前記有線インターフェイスにより前記動画像データの全てのフレームのデータを送信すると共に前記選択手段により前記有線インターフェイスにより送信された動画像データを選択して表示する第１のモードと、
前記無線インターフェイスに対して前記動画像データの連続する二つのフレーム間の差分データを供給し、前記無線インターフェイスが前記差分データを送信すると共に、前記無線インターフェイスにより送信された差分データに基づいて前記デコーダが復元した動画像データを前記選択手段が選択して表示する第２のモードとを有することを特徴とする表示システム。
【発明の詳細な説明】
【技術分野】
【０００１】
本発明は、ＤＶＣ（Ｄｉｇｉｔａｌ  Ｖｉｄｅｏ  Ｃａｍｅｒａ）に関するものであり、特にＤＶＣの記録再生画像を表示する表示手段の着脱が可能なシステムに係り、該表示手段がシステム本体より取り外され、コードレスの形態になった場合、効率よく該コードレスの表示手段にビデオデータ送出するシステムに関するものである。
【背景技術】
【０００２】
従来、ＤＶＣにおいて、本体に装着しているＬＣＤ等の画像表示手段を見ながら、記録、あるいは再生画像を表示させながら、撮影していた。また、ディスプレイとのインターフェイスについては、例えばディスプレイの種類によってPCとディスプレイのインターフェイスの内容、例えば同期信号の送出タイミングを変更するというものがあった。例えば、特許文献１に開示されている。
【特許文献１】特開平５−３３３８０５号公報
【発明の開示】
【発明が解決しようとする課題】
【０００３】
しかしながら、ユーザのＤＶＣの使用環境下によっては、ＤＶＣにおける液晶パネル等の表示手段に表示する記録画像、あるいは再生画像が見づらいという問題がある。そこで、該表示手段の着脱可能なＤＶＣにおいては、表示手段を見やすい位置に移動させることができる。しかし、該表示手段をＤＶＣ本体から取り外し、コードレス状態になった場合においては、該表示手段に記録画像、あるいは再生画像を表示する際、ＤＶＣ本体から取り外されたコードレス状態の該表示手段にビデオデータを送出することになり、ＤＶＣ本体から送出するビデオデータの伝送レートが小さくなり、転送効率が悪く、リアルタイムでＤＶＣ本体で撮影した映像、画像を該表示手段で見ることができない可能性もある。        
【０００４】
本発明は、上記課題を鑑み、リアルタイムで本体において撮影した映像、画像をコードレスの表示手段で見ることができる画像処理装置及び表示システムを提供することを目的とする。
【課題を解決するための手段】
【０００５】
上記課題を解決するために本発明は、本発明のビデオカメラの表示システムは、記録再生画像を表示する表示手段の着脱が可能なシステムであって、該表示手段の着脱を認識する手段を有し、該表示手段がＤＶＣ本体から取り外され、コードレスの状態になった場合、ＤＶＣ本体からの送出するビデオデータの通信方式を切り替え、無線で該ビデオデータを表示手段に送信する手段を有し、撮影画像の動きベクトルを検出し、該動きベクトルのみを該送信手段を利用し、ビデオデータを送信することにより、上記の課題を解決する。
【０００６】
更に、本発明のビデオカメラの表示システムにおいて、該表示手段にメモリ手段を有することにより、該表示手段側で撮像部で撮影した画像、映像を合成することができる。
【０００７】
更に、本発明のビデオデータの通信方式切替手段により、記録再生画像を表示する表示手段が取り外された際、動きベクトルのみを該表示手段に転送することにより、転送するデータ量を極力少なくできるので、コードレス状態の該表示手段においてリアルタイムに撮像部で撮影した画像、映像を表示することができる。
【０００８】
更に、本発明のビデオカメラの表示システムにおいて、該表示手段が取り外された際にシステム本体から該表示手段に送出するビデオデータにメーカコード、機種コードを付して送出することにより、他のビデオカメラ本体から送出されるビデオデータを特定することができる。
【０００９】
更に本発明のビデオカメラの表示システムにおいて、該表示手段をビデオカメラ本体から取り外しできるので、該ビデオカメラ本体の消費電力を抑えることができる。
【発明の効果】
【００１０】
本発明によれば、ビデオカメラ本体から、記録再生画像を表示する表示手段の着脱可能なシステムにおいて、表示手段が取り外され、コードレスの形態のときに該コードレスの表示手段にビデオデータを送出するための通信形態を切り替えることにより、効率よく、ビデオカメラ本体にて撮影された、映像を表示手段に転送でき、ユーザはリアルタイムに撮影している映像を該表示手段にて確認しながら、撮影が可能となる。
【００１１】
更に、ビデオカメラ本体からメーカコード、および機種コード（シリアルナンバー）をビデオデータに付加して表示ユニットに転送することにより、特定のビデオカメラで撮影した映像のみを表示手段に表示させることが可能となる。
【００１２】
更に、表示ユニットに供給する電源をビデオカメラ本体と独立させて供給することにより、ビデオカメラ本体の撮影時間が延長できる。
【発明の最良の実施形態】
【００１３】
以下に本発明の実施例について説明する。
【実施例１】
【００１４】
以下に、本発明の第１の実施例を図１、図２に基づき説明する。
【００１５】
図１に本発明の第１の実施例に関わる全体ブロック図を示す。１０１はビデオカメラ本体、１０２は撮像部、１０３は集光レンズ、１０４はＣＣＤ、１０５はＡ／Ｄ変換器、１０６はビデオデータ（Ｖｉｄｅｏ  Ｄａｔａ）送信部、１０７は表示ユニット検出部、１０８はフレームメモリ、１０９は表示ユニットへビデオデータを無線で送信する際の送信部、１１０はパケッタイズ部、１１１はエンコーダ、１１２は差分検出部、１１３は動きベクトル検出部、１１４はビデオカメラ本体から着脱可能な別体で形成されている表示ユニット、１１５はメモリ手段、１１６はビデオデータ合成部、１１７はデコーダ、１１８はビデオカメラ本体からビデオデータを無線で受信する受信部、１１９は切替スイッチ、１２０はＶＲＡＭ、１２１はＬＣＤ（液晶ディスプレイ）、１２２は表示ユニットへの電力供給部である。
まず、表示ユニット１１４がビデオカメラ本体１０１に接続されている形態時の動作を説明する。
【００１６】
撮像部１０２は集光レンズ１０３、ＣＣＤ１０４を有しており、集光レンズ１０３は、被写体からの光をＣＣＤ１０４へ集光する。ＣＣＤ１０４において入射された光が電気信号に変換され、該ＣＣＤ１０４から出力される。ここで撮像部１０２から出力された電気信号はアナログ信号であり、Ａ／Ｄ変換器１０５においてデジタルデータに変換され、この結果、該撮像部１０２から出力されたデータは、Ｖｉｄｅｏ  Ｄａｔａ送信部１０６にビデオデータとして入力される。
【００１７】
ビデオカメラ本体１０１の表示ユニット検出部１０７は、例えば、図２に示すように、ビデオカメラ本体１０１に表示ユニット１１４が接続されている状態では、インターフェイス１（Ｉｎｔｅｒｆａｃｅ１）は、Ｌレベルとなる。また、ビデオカメラ本体１０１から表示ユニット１１４が取り外されている状態では、インターフェイス１（Ｉｎｔｅｒｆａｃｅ１）はＨレベルを検出する。該信号レベルが表示ユニット検出部１０７に入力される。該表示ユニット検出部１０７は、該信号レベルに応じてＬレベルが入力された場合、Ｌレベルを、Ｈレベルが入力された場合はＨレベルを出力する。このようにして、ビデオカメラ本体１０１と表示ユニット１１４の着脱状況を検出する。表示ユニット１１４がビデオカメラ本体１０１に接続されている形態においては、表示ユニット検出部１０７はＬレベルをＶｉｄｅｏ  Ｄａｔａ送信部１０６に対し、出力し、ビデオデータ（Ｖｉｄｅｏ  Ｄａｔａ）送信部１０６の動作を有効にする。
【００１８】
更に、表示ユニット検出部１０７、送信部１０９に対してもＬレベルを出力し、該送信部１０９の動作を無効にする。
【００１９】
ビデオデータ（Ｖｉｄｅｏ  Ｄａｔａ）送信部１０６に入力されたビデオデータは、有線により、表示ユニット１１４に転送される。更に表示ユニット１１４では、表示ユニット検出部１０７において検出されたビデオカメラ本体１０１から表示ユニット１１４の着脱状態を示す検出信号のＬレベル（すなわち、本実施例ではビデオカメラ本体１０１に表示ユニット１１４が接続されている状態）をインターフェイス２（Ｉｎｔｅｒｆａｃｅ２）を経由し、表示ユニット１１４に送出する。表示ユニット１１４内の切替スイッチ１１９は該インターフェイス２（Ｉｎｔｅｒｆａｃｅ２）を経由して該表示ユニット１１４に入力された信号レベルがＬレベルのとき、Ａ側に倒される。Ａ側に倒された切替スイッチ１１９により、ビデオデータは、ＬＣＤ１２１で表示させるため、ＶＲＡＭ１２０に一時的に格納され、その後、ＬＣＤ１２１に供給され、ＲＧＢ表示する。
【００２０】
次に表示ユニット１１４がビデオカメラ本体１０１から取り外され、コードレス状態となった際の動作を説明する。
【００２１】
表示ユニット１１４がビデオカメラ本体１０１から取り外された形態時にはビデオカメラ本体１０１とは別体で電源供給部１２２より、電源が供給される。
【００２２】
撮像部１０２は集光レンズ１０３、ＣＤＤ１０４を有しており、集光レンズ１０３は、被写体からの光をＣＣＤ１０４へ集光する。ＣＣＤ１０４において入射された光が電気信号に変換され、該ＣＣＤ１０４から出力される。撮像部１０２から出力された電気信号はアナログ信号であり、Ａ／Ｄ変換器１０５においてデジタルデータに変換される。
【００２３】
撮像部１０２から出力されたデータは、フレームメモリ１０８に一時的に格納される。該フレームメモリ１０８に一時的に格納されている撮像部１０２から出力されたデータは、次に撮像部１０２から出力されるデータとともに動きベクトル検出部１１３に入力される。すなわち、前後フレームのデジタルデータが動きベクトル検出部１１３に入力されることになる。
【００２４】
動きベクトル検出部１１３にて検出された前後フレーム間の動きベクトルデータは、差分検出部１１２に入力され、動きを予測してその結果と現フレームとの差を抽出するようにする。該抽出されたデータは、エンコーダ１１１にてエンコードされる。エンコードされたデータは、パケッタイズ１１０にてパケット化され、送信部１０９に入力される。
【００２５】
ビデオカメラ本体１０１の表示ユニット検出部１０７は、例えば、図２に示すように、ビデオカメラ本体１０１に表示ユニット１１４が取り外されている状態では、インターフェイス１（Ｉｎｔｅｒｆａｃｅ１）は、Ｈレベルとなる。該信号レベルが表示ユニット検出部１０７に入力される。該表示ユニット検出部１０７は、該信号レベルに応じてＨレベルを出力する。このようにして、ビデオカメラ本体１０１と表示ユニット１１４が取り外されていることを検出する。
【００２６】
表示ユニット１１４がビデオカメラ本体１０１から取り外されている形態においては、表示ユニット検出部１０７はＨレベルをビデオデータ（Ｖｉｄｅｏ  Ｄａｔａ）送信部１０６に対し出力し、ビデオデータ（Ｖｉｄｅｏ  Ｄａｔａ）送信部１０６の動作を無効にし、有線でのビデオデータの送信不可状態にする。
【００２７】
更に、表示ユニット検出部１０７、送信部１０９に対してもＨレベルを出力し、該送信部１０９の動作を有効にする。
【００２８】
送信部１０９では、例えば、Ｂｌｕｅ  Ｔｏｏｔｈ、ＩＥＥＥ８０２．１１等などの無線インターフェイスにより、表示ユニット１１４に送信される。表示ユニット１１４ではビデオカメラ本体１０１から無線インターフェイスにより送信されたデータを受信部１１８により、受信する。ここで、受信部１１８により、受信されたデータはデコーダ１１７にてデコードされる。
【００２９】
一方メモリ１１５には、前フレームのビデオデータが格納されている。該メモリに格納されているビデオデータとデコーダ１１７からの出力を合成部１１６にて合成する。
【００３０】
表示ユニット１１４がビデオカメラ本体１０１から取り外された際、インターフェイス２（Ｉｎｔｅｒｆａｃｅ２）はＨレベルになり、該信号レベルに基づいて、表示ユニット１１４内の切替スイッチ１１９をＢ側に倒す。切替スイッチ１１９を経由して合成部１１６からのビデオデータはＬＣＤ１２１で表示させるため、ＶＲＡＭ１２０に一時的に格納され、その後、ＬＣＤ１２１に供給され、ＲＧＢ表示する。
【００３１】
本実施例のように、ビデオカメラ本体より、表示ユニットが取り外され、コードレスの形態時において、表示ユニットに転送するデータ量を抑え、転送レートを変えることにより、効率よく、ビデオカメラ本体にて撮影された、映像を表示ユニットに転送でき、ユーザはリアルタイムに撮影している映像を確認しながら、撮影が可能となる。
【００３２】
また、表示ユニットをビデオカメラ本体より、取り外し、コードレスの形態時に、ビデオカメラ本体とは別系統で電源供給部１２２より、電源を供給するため、ビデオカメラ本体の消費電力を抑えることができ、撮影時間を延長できる。
【実施例２】
【００３３】
以下に、本発明の第２の実施例を図３に基づき説明する。
【００３４】
図３に本発明の第２の実施例に係わるブロック図を示す。
【００３５】
第１の実施例と同じ機能を有するブロックは同一の番号を付す。２０１はコード生成部、２０２はコード検出部である。
【００３６】
まず、表示ユニット１１４がビデオカメラ本体１０１に接続されている形態時の動作を説明する。
【００３７】
撮像部１０２は集光レンズ１０３、ＣＣＤ１０４を有しており、集光レンズ１０３は、被写体からの光をＣＣＤ１０４へ集光する。ＣＣＤ１０４において入射された光が電気信号に変換され、該ＣＣＤ１０４から出力される。ここで撮像部１０２から出力された電気信号はアナログ信号であり、Ａ／Ｄ変換器１０５においてデジタルデータに変換され、この結果、該撮像部１０２から出力されたデータは、ビデオデータ（Ｖｉｄｅｏ  Ｄａｔａ）送信部１０６にデジタルデータとして入力される。
【００３８】
ビデオカメラ本体１０１の表示ユニット検出部１０７は、例えば、図２に示すように、ビデオカメラ本体１０１に表示ユニット１１４が接続されている状態では、インターフェイス１（Ｉｎｔｅｒｆａｃｅ１）は、Ｌレベルとなる。また、ビデオカメラ本体１０１から表示ユニット１１４が取り外されている状態では、インターフェイス１（Ｉｎｔｅｒｆａｃｅ１）はＨレベルを検出する。該信号レベルが表示ユニット検出部１０７に入力される。該表示ユニット検出部１０７は、該信号レベルに応じてＬレベルが入力された場合、Ｌレベルを、Ｈレベルが入力された場合はＨレベルを出力する。このようにして、ビデオカメラ本体１０１と表示ユニット１１４の着脱状況を検出する。表示ユニット１１４がビデオカメラ本体１０１に接続されている形態においては、表示ユニット検出部１０７はＬレベルをビデオデータ（Ｖｉｄｅｏ  Ｄａｔａ）送信部１０６に対し出力し、Ｖｉｄｅｏ  Ｄａｔａ送信部１０６の動作を有効にする。
【００３９】
ビデオデータ（Ｖｉｄｅｏ  Ｄａｔａ）送信部１０６に入力されたビデオデータは、有線により、表示ユニット１１４に転送される。
【００４０】
更に表示ユニット１１４では、ビデオデータは、有線により、表示ユニット１１４に転送されるため、コード検出部２０２にてコードデータが検出されない。この場合、表示ユニット１１４内の切替スイッチ１１９をＡ側に倒す。Ａ側に倒された切替スイッチ１１９により、ビデオデータは、切替スイッチ１１９を経由し、ＬＣＤ１２１で表示させるため、ＶＲＡＭ１２０に一時的に格納され、その後、ＬＣＤ１２１に供給され、ＲＧＢ表示する。
【００４１】
次に表示ユニット１０８がビデオカメラ本体１０１から取り外された形態時の動作を説明する。
【００４２】
表示ユニット１１４がビデオカメラ本体１０１から取り外された形態時にはビデオカメラ本体１０１とは別体で電源供給部１２２より、電源が供給される。
【００４３】
撮像部１０２は集光レンズ１０３、ＣＤＤ１０４を有しており、集光レンズ１０３は、被写体からの光をＣＣＤ１０４へ集光する。ＣＣＤ１０４において入射された光が電気信号に変換され、該ＣＣＤ１０４から出力される。撮像部１０２から出力された電気信号はアナログ信号であり、Ａ／Ｄ変換器１０５においてデジタルデータに変換される。
【００４４】
撮像部１０２から出力されたデータは、フレームメモリ１０８に一時的に格納される。該フレームメモリ１０８に一時的に格納されている撮像部１０２から出力されたデータは、次に撮像部１０２から出力されるデータとともに動きベクトル検出部１１３に入力される。すなわち、前後フレームのデジタルデータが動きベクトル検出部１１３に入力されることになる。
【００４５】
動きベクトル検出部１１３にて検出された前後フレーム間の動きベクトルデータは、差分検出部１１２に入力され、動きを予測してその結果と現フレームとの差を抽出するようにする。
【００４６】
ビデオカメラ本体１０１の表示ユニット検出部１０７は、例えば、図２に示すように、ビデオカメラ本体１０１に表示ユニット１１４が取り外されている状態では、インターフェイス１（Ｉｎｔｅｒｆａｃｅ１）は、Ｈレベルとなる。該信号レベルが表示ユニット検出部１０７に入力される。該表示ユニット検出部１０７は、該信号レベルに応じてＨレベルを出力する。このようにして、ビデオカメラ本体１０１と表示ユニット１１４が取り外されていることを検出する。
【００４７】
表示ユニット１１４がビデオカメラ本体１０１から取り外されている形態においては、表示ユニット検出部１０７はＨレベルをビデオデータ（Ｖｉｄｅｏ  Ｄａｔａ）送信部１０６に対し出力し、ビデオデータ（Ｖｉｄｅｏ  Ｄａｔａ）送信部１０６の動作を無効にし、有線でのビデオデータの送信不可状態にする。
【００４８】
更に、表示ユニット検出部１０７、送信部１０９に対してもＨレベルを出力し、該送信部１０９の動作を有効にする。
【００４９】
コード生成部２０１は、該信号レベルに基づいて表示ユニット１１４の着脱状態をコード化する。更に、メーカコード、機種コード（シリアルナンバー）も付け加えてまとめてコード化する。
【００５０】
該コード生成部２０１にてコード化された各種情報は、差分検出部１１２にて抽出された差分データとともにパケッタイズ部１１０に入力され、該差分データに付加された形態でパケット化される。パケット化されたビデオデータは送信部１０９に入力される。
【００５１】
送信部１０９では、例えば、Ｂｌｕｅ  Ｔｏｏｔｈ、ＩＥＥＥ８０２．１１等などの無線インターフェイスにより、表示ユニット１１４に送信される。表示ユニット１１４ではビデオカメラ本体１０１から無線インターフェイスにより送信されたデータを受信部１１８により、受信する。ここで、受信部１１８により、受信されたデータはデコーダ１１７にてデコードされる。
【００５２】
該デコーダ１１７にてビデオデータに付加されているコードを抽出する。該コードは、コード検出部２０２に入力され、該コード検出部２０２にて、ビデオカメラ本体１０１と表示ユニット１１４の着脱状況をしめすコード検出する。ここで、表示ユニット１１４はビデオカメラ本体１０１から取り外されたコードを検出した場合、該コード情報に基づいて、表示ユニット１１４内の切替スイッチ１１９をＢ側に倒す。
【００５３】
一方メモリ１１５には、前フレームのビデオデータが格納されている。該メモリに格納されているビデオデータとデコーダ１１７からの出力を合成部１１６にて合成する。
【００５４】
切替スイッチ１１９を経由して該合成部１１６からのビデオデータをＬＣＤ１２１で表示させるため、ＶＲＡＭ１２０に一時的に格納され、その後、ＬＣＤ１２１に供給され、ＲＧＢ表示する。
【００５５】
更に、コード検出部２０２にてメーカコード、機種コード（シリアルナンバー）等を検出し、例えば、メーカコードが表示ユニット１１４のＲＯＭ等の格納手段（図示せず）に格納されているメーカコードと異なる場合、受信部１１８の動作を無効にし、ビデオカメラ本体１０１からの無線でのビデオデータの受信を行わない。
以上のようにビデオカメラ本体から表示ユニットが取り外され、コードレスの形態において、ビデオカメラ本体からメーカコード、および機種コード（シリアルナンバー）をビデオデータに付加して表示ユニットに転送することにより、特定のビデオカメラで撮影した映像のみを表示ユニットに表示させることが可能となる。
【図面の簡単な説明】
【００５６】
【図１】本発明の第１の実施例の全体構成を示すブロック図。
【図２】本発明の第１の実施例の表示ユニットの着脱状況を検出する回路の一例。
【図３】本発明の第２の実施例の全体構成を示すブロック図。
【符号の説明】
【００５７】
１０１      ビデオカメラ本体
１０２      撮像部
１０３      集光レンズ
１０４      ＣＣＤ
１０５      Ａ／Ｄ変換器
１０６      ビデオデータ（Ｖｉｄｅｏ  Ｄａｔａ）送信部、
１０７      表示ユニット検出部
１０８      フレームメモリ
１０９      送信部
１１０      パケッタイズ部
１１１      エンコーダ
１１２      差分検出部
１１３      動きベクトル検出部
１１４      表示ユニット
１１５      メモリ手段
１１６      ビデオデータ合成部
１１７      デコーダ
１１８      受信部
１１９      切替スイッチ
１２０      ＶＲＡＭ
１２１      ＬＣＤ（液晶ディスプレイ）
１２２      電力供給部
２０１      コード生成部
２０２      コード検出部
【図１】
2005175550.tif 000003
【図２】
2005175550.tif 000004
【図３】
2005175550.tif 000005